(57)【特許請求の範囲】
【請求項１】
座板スラットと、
前記座板スラット下部に設けられ、前記座板スラットと床面の間の隙間を圧縮止水する止水材と、
前記床面側に突出し、前記座板スラットと前記床面との距離を規定する規定部と、
を有する防水板であって、
前記止水材は、少なくとも、
弾性率の大きい第一止水材と、
前記第一止水材の下側に配置され前記第一止水材と比較して弾性率の小さい第二止水材と、
を有して構成され、
前記第一止水材は、前記規定部よりも上側の位置に配置され、
前記第二止水材は、前記規定部よりも下側に突出するように設けられる、
防水板。
【請求項２】
前記防水板は、
昇降式のシャッターカーテンの最下部に配置される、
ことを特徴とする請求項１に記載の防水板。
【請求項３】
前記止水材は、
前記座板スラットの板幅方向において連続して配置されるものであり、
前記止水材に加え、さらに、
前記止水材と前記座板スラットの板厚方向において間隔を開けて平行に配置される他の止水材が、前記止水材の両側に設けられる、
ことを特徴とする請求項１又は請求項２に記載の防水板。
【発明の詳細な説明】
【技術分野】
【０００１】
本発明は、建物の出入口や、地下施設への地上出入口などに設置され、豪雨時の雨水などの浸入を堰き止めるための防水装置に関する。
【背景技術】
【０００２】
従来、豪雨発生時などにおいて雨水が出入口内に浸入することを防止するための防水板（止水板とも称される）を備える装置が知られており、例えば、特許文献１に開示されるように、シャッターの下部に防水板を備える構成も知られている。この防水板により屋外側と屋内側を仕切ることで、防水板の高さ寸法に水位が至るまでの間、屋内側への浸水を効果的に防止することができる。
【０００３】
特許文献１にも開示されるように、防水板の最下部には、弾性材料からなる止水材（シール部材）が設けられ、床面と防水板の間に形成される隙間を止水材で密閉することにより、当該隙間を通じた浸水が防止される。
【先行技術文献】
【特許文献】
【０００４】
【特許文献１】実開平７−２５１９５号公報
【発明の概要】
【発明が解決しようとする課題】
【０００５】
防水板が設置される箇所の床面は完全に平坦ではなく不陸が存在することが考えられ、止水材によって不陸を吸収することにより、防水板による止水性の向上が図られる。特に、水位が高まると水圧も増加し、防水板の下部からの浸水の恐れが高まることになるため、止水材の果たす機能は重要である。
【０００６】
しかしながら、特許文献１に開示されるように、防水板の最下部に単純に止水材を配置しただけの構成である場合、防水板の全荷重を止水材で支えることになるため、止水材が収縮、復帰を繰り返すことによる止水材の劣化が進行しやすいものと考えられる。
【０００７】
そして、止水材の劣化が進行すると、止水材が十分に収縮できなくなって床面の不陸が吸収できず、浸水が発生してしまうことが懸念される。
【０００８】
また、止水材の劣化の進行が早い場合には、止水材の交換頻度や点検回数を増加するなどの対策が必要となるため、運用面においても手間やコストがかかることが懸念される。
【０００９】
さらに、特許文献１のようにシャッターの下部に防水板を取り付ける構成において、電動シャッターに構成する場合には、例えば、防水板が床面に到達したことをリミットスイッチやカウンターにて検知して、電動開閉機の巻出駆動を停止する構成とするものが一般的であるが、防水板の停止位置には電動開閉機の駆動を停止するブレーキの滑りや、リミットスイッチの誤差が生じる場合があることから、停止位置が設定位置よりずれることが考えられる。
【００１０】
そして、この設定位置からの誤差を考慮して、防水板が確実に床面に到達するように巻出量を多くする側に調整をしておくことも可能であるが、この場合、止水材の圧縮量が無駄に大きくなり、止水材に過剰な荷重が作用することで、床面への密着性は高まるが、必要以上に押し潰されることになるので劣化の進行が早まってしまうことになる。一方で、巻出量が十分でない場合には、止水材の圧縮が十分になされずに、止水機能を十分に発揮できないことが懸念される。
【００１１】
以上のように、従来の止水材を備えた防水板については、止水材の圧縮量を一定にすることができず、止水性にバラツキがあり、これに伴って、劣化の進行や、止水性の機能が発揮されないことが懸念されるものであった。
【００１２】
そこで、本発明は、以上の問題点に鑑み、下部に止水材が設けられる防水板について、新規な構成の防水板を提案するものである。
【課題を解決するための手段】
【００１３】
本発明の解決しようとする課題は以上のごとくであり、次にこの課題を解決するための手段を説明する。
【００１４】
即ち、請求項１に記載のごとく、
座板スラットと、
前記座板スラット下部に設けられ、前記座板スラットと床面の間の隙間を圧縮止水する止水材と、
前記床面側に突出し、前記座板スラットと前記床面との距離を規定する規定部と、
を有する防水板であって、
前記止水材は、少なくとも、
弾性率の大きい第一止水材と、
前記第一止水材の下側に配置され前記第一止水材と比較して弾性率の小さい第二止水材と、
を有して構成され、
前記第一止水材は、前記規定部よりも上側の位置に配置され、
前記第二止水材は、前記規定部よりも下側に突出するように設けられる、
防水板とする。
【００１５】
また、請求項２に記載のごとく、前記防水板は、昇降式のシャッターカーテンの最下部に配置される、こととする。
【００１６】
また、請求項３に記載のごとく、
前記止水材は、
前記座板スラットの板幅方向において連続して配置されるものであり、
前記止水材に加え、さらに、
前記止水材と前記座板スラットの板厚方向において間隔を開けて平行に配置される他の止水材が、前記止水材の両側に設けられる、こととする。
【発明の効果】
【００１７】
本発明の効果として、以下に示すような効果を奏する。
【００１８】
即ち、請求項１に記載の発明においては、防水板が床面に設置された状態では、規定部の存在により常に一定の高さ幅だけ止水材を圧縮させることができる。そして、止水材の圧縮量がコントロール（管理）できることで、一定の押圧荷重による圧縮と、圧縮状態からの確実な復帰が可能となり、床面の不陸を適切に吸収して高い止水性を発揮できる。また、止水材に過剰な荷重が掛かって止水材の劣化が早まることも防がれる。
【００１９】
また、請求項２に記載の発明においては、シャッターカーテンの最下部に配置されて止水の機能を発揮させることができる。また、シャッターカーテンの重量を防水板にて支えることになるが、規定部が床面に接地するため、止水材にシャッターカーテンの全重量が作用せず、止水材に過剰な荷重が掛かることがない。また、特に電動シャッターの場合では、全閉時におけるシャッターカーテンの巻き出し量に誤差が生じるため、巻き出し量が多い場合には、防水板が床面に対して強く押付けられることになるが、このような状況においても、止水材に作用する荷重は通常の大きさと変わらないため、止水材に悪影響が及ばない。
【００２０】
また、請求項３に記載の発明においては、各止水材が床面と密着することで、屋内外方向において多段階で止水性を発揮させることができ、より高い止水性能を発揮できる。
【図面の簡単な説明】
【００２１】
【図１】（Ａ）防水板を備えるシャッターの概要について示す正面図。（Ｂ）シャッターを開いた状態について示す正面図。
【図２】防水板の構成について示す側断面図。
【図３】防水板の構成について示す正面図。
【図４】（Ａ）は防水板の下部の構成について示す側面断面図。（Ｂ）はシャッターを閉鎖した状態の防水板の下部の様子について示す側面断面図。
【図５】（Ａ）は他の実施例の防水板の下部の構成について示す側面断面図。（Ｂ）はシャッターを閉鎖した状態の他の実施例の防水板の下部の様子について示す側面断面図。
【図６】押付機構を備えるガイドレールについて示す側面図。
【図７】押付機構を備えるガイドレールについて示す平面図。
【発明を実施するための形態】
【００２２】
以下、本発明の実施形態を図面に基づいて説明する。
図１（Ａ）（Ｂ）は、防水板１を備えるシャッター４０の概要について示すものであり、シャッター４０は巻取シャフト４１を電動駆動する電動開閉機４２を備えており、電動シャッターとして構成されている。
【００２３】
シャッター４０は対向して立設される一対のガイドレール５０Ｒ，５０Ｌを備えており、ガイドレール５０Ｒ，５０Ｌに沿ってシャッターカーテン４４が昇降するようになっている。なお、ガイドレール５０Ｒ，５０Ｌは出入口２０を形成する壁の見込み面に付設されるほか、壁に埋め込まれるものであってもよく、また、壁そのものに溝を形成して構成されるものであってもよい。
【００２４】
シャッターカーテン４４は複数のスラット４３を連設して構成されており、シャッターカーテン４４の一端部が巻取シャフト４１に固定されている。
【００２５】
シャッターカーテン４４の他端部となる巻出端部には、防水板１が取り付けられている。防水板１の左右の端部はそれぞれガイドレール５０Ｒ，５０Ｌに差し込まれ、ガイドレール５０Ｒ，５０Ｌに沿って昇降するようになっている。
【００２６】
そして、図示せぬ押しボタンスイッチの操作により電動開閉機４２にて巻取シャフト４１が巻取方向に駆動されると、シャッターカーテン４４が巻取シャフト４１に巻き上げられて天井まぐさ４５（巻取ケースの場合もある）の上方に収容され、図１（Ｂ）に示すように出入口２０が開放された状態となる。
【００２７】
この際、防水板１はシャッターカーテン４４とともに上昇し、天井まぐさ４５の下方に位置して待機状態とされる。このほか、防水板１は、天井まぐさ４５よりも上方に位置するまで上昇し、天井裏内に収められた状態で待機状態となる構成としてもよい。
【００２８】
一方、電動開閉機４２により巻取シャフト４１が巻出方向に駆動されると、シャッターカーテン４４が巻取シャフト４１から送り出されて、図１（Ａ）に示すように出入口がシャッターカーテン４４により閉鎖された状態となる。
【００２９】
この際、防水板１は下端部が床面４７に到達し、床面４７からの水位が高まった雨水を堰き止め、防水板１により屋内側への雨水の浸入が防がれる。
【００３０】
以上の構成とするシャッター４０は、マンション、一戸建て住宅、ビルなどのエントランスや、店舗の店先、車庫の出入口、地下鉄の地上出入口、地下通路の出入口など、あらゆる箇所に設置されることが想定される。また、シャッター４０は、電動開閉機により巻き上げる電動シャッターで構成されるほか、ハンドル等により巻き上げる手動シャッターで構成されることとしてもよい。
【００３１】
また、本発明の防水板１の各部の構成は、防水板１にてシャッターカーテン４４の一部を構成する場合において、新設のシャッター４０に防水板１を採用するほか、既存のシャッターについて後付けで設置することも可能である。特に、既存のシャッターに後付する際には、詳しくは後述するように、本発明では止水材６０（図１（Ｂ））による止水性を確保できるため、床面４７に溝が形成されていない既存のシャッターの設置箇所に対する適用が容易であり、原状防水機能のないシャッター設置箇所について、容易に防水機能を付加することが可能となる。
【００３２】
さらに、本発明は、シャッターの構成部品として防水板１を採用する場合のほか、防水板１を単独で使用する構成においても適用することができる。つまり、豪雨発生時などの必要が生じた場合に、倉庫などに保管された防水板を持ち運んで出入口のガイドレールに設置する形態であって、防水板を単体で使うものについても適用できる。
【００３３】
次に防水板１の構成について説明する。
図２は防水板１の構成について示す側断面図であり、図３は防水板１の構成について示す正面図（屋内側）について示すものである。
【００３４】
図２に示すように、防水板１の上端部は、昇降式のシャッターカーテン４４の最下部の座板スラット４６に固定され、座板スラット４６と一体となってガイドレールに沿って昇降される。この場合、本実施例の座板スラット４６の一部を構成する座板４６ａはＬ字状としているが、防水板１が固定可能であれば特にＬ字状としなくてもよい。また、シャッターカーテン４４と板材２Ａ，２Ｂは同時に同一のガイドレール溝を昇降する。なお便宜のため、図２おける紙面左側を屋外側とし、紙面右側を屋内側とし、他の図においても同様とする。
【００３５】
本実施例の防水板１は、上下に並べて配置される複数枚（二枚）の板材２Ａ，２Ｂと、板材２Ａ，２Ｂを連結する連結部材４Ａ，４Ｂと、板材２Ａ，２Ｂの板面の両側にそれぞれ配置され、一体となった板材２Ａ，２Ｂを補強するための補強材５Ａ，５Ｂを有して構成される。
【００３６】
図２に示すように、本実施例の板材２Ａ，２Ｂは、中空部を有するアルミ成形材にて構成されており、上側の板材２Ａの下部の嵌合部と、下側の板材２Ｂの上部の嵌合部が互いに嵌合されて、全体として一枚の板材を構成する。また、断面視コ字状の長尺の連結部材４Ａ，４Ｂにより、板材２Ａ，２Ｂの嵌合部を跨ぐようにして板材２Ａ，２Ｂ同士が連結される。
【００３７】
なお、本実施例のように複数枚の板材２Ａ，２Ｂを連結部材４Ａ，４Ｂにて連結して所望の高さを成す一枚の板材を構成するほか、単体の一枚の板材を用いることも可能であり、また、板材の素材については特にアルミ成形材に限定されるものではない。また、連結部材４Ａ，４Ｂは、一本の長尺の部材を用いることとするほか、長さの短いものを複数用いることとしてもよい。
【００３８】
図３に示すように、板材２Ａ，２Ｂの横方向（図３紙面左右方向）の両側端部は、ガイドレール５０Ｒ，５０Ｌの縦レール溝に飲み込まれ、これにより、防水板１が全体として縦レール溝にガイドされて上下移動される。板材２Ａ，２Ｂにおいて、この縦レール溝に飲み込まれる部位には、帯状のパッキン材６Ｒ，６Ｌが上下方向に設けられており、このパッキン材６Ｒ，６Ｌによりガイドレール５０Ｒ，５０Ｌと板材２Ａ，２Ｂの間に形成される隙間が埋められて、板材２Ａ，２Ｂの左右端部における止水性が確保される。
【００３９】
図２に示すように、補強材５Ａ，５Ｂは、板金加工した鋼板にて構成されており、上部が上側の板材２Ａに固定され、下部が連結部材５ａ，５ｂを介して下側の板材２Ｂに固定されている。
【００４０】
このように、補強材５Ａ，５Ｂを設けることで、上下の板材２Ａ，２Ｂが強固に一体化され、防水板１全体としての強度の向上が図られる。また、補強材５Ａ，５Ｂによって連結部材４Ａ，４Ｂを隠すことができ、防水板１の外観の美観を確保することができる。
【００４１】
図３に示すように、補強材５Ａ（５Ｂも同じ）の横幅５ｗは、板材２Ａ，２Ｂの横幅２ｗよりも狭く構成されており、補強材５Ａについては、ガイドレール５０Ｒ，５０Ｌの縦レール溝には飲み込まれないようになっている。
【００４２】
なお、補強材５Ａ（５Ｂも同じ）については、一枚の板材で構成するほか、横方向（図３紙面左右方向）において複数枚にて構成することとしてもよい。また、例えば、横幅の同じ三枚の板材を横方向に並べる構成とする場合には、最も補強が必要となる横方向中央部において板材の接続部が配置されないようにすることが好ましい。
【００４３】
図２に示すように、補強材５Ａ，５Ｂの上部には、板材２Ａから離れるほど低くなる傾斜面部５ｃ，５ｄが形成され、傾斜面部５ｃ，５ｄの下端部から下方の部位が垂直面５ｅ，５ｆにて構成されている。
【００４４】
このように、傾斜面部５ｃ，５ｄを構成することにより、傾斜面部５ｃ，５ｄの表面に水を滞留させることなく下方へ流すことができ（水切り効果）、また、埃が堆積し難い構成が実現できる。
【００４５】
また、図２に示すように、補強材５Ａ，５Ｂを設けることにより、防水板１の全体としての屋内外方向幅１Ｄ（図２紙面左右方向（矢印Ｄ方向））の幅を広く確保することができる。
【００４６】
これにより、図１（Ｂ）に示すように、巻取シャフト４１が停止せず過剰に巻き上げられるなどの予期せぬ不具合が生じた場合において、防水板１が天井まぐさ４５の開口部分よりも上方に入り込んでしまうことを防止でき、不具合発生の拡大を防止することができる。
【００４７】
次に、防水板１の下部の構成について説明する。
図４（Ａ）は防水板１の下部の構成について示す側面断面図であり、図４（Ｂ）はシャッターを閉鎖し、止水状態にある防水板１の下部の様子について示す側面断面図である。
【００４８】
図４（Ａ）に示すように、防水板１（板材２Ｂ）の下部には止水材６０が設けられており、図４（Ｂ）に示すようにシャッターが閉鎖されて防水板１が床面４７に到達した状態においては、この止水材６０によって防水板１（板材２Ｂ）と床面４７の隙間が密閉される。
【００４９】
本実施例の止水材６０は、弾性率の大きい第一止水材６１と、第一止水材６１の下に配置され第一止水材６１と比較して弾性率の小さい第二止水材６２と、を有して構成される。これら第一止水材６１、第二止水材６２は、ゴムや樹脂などの弾性体からなる長尺部材にて構成することができ、弾性変形して隙間を埋めることによって高い密閉性を実現するものである。
【００５０】
図３に示すように、止水材６０（第一止水材６１、第二止水材６２）は、板材２Ａ，２Ｂの横方向（図３紙面左右方向（矢印Ｘ方向））の長さと略同一の長さを有し、その両側端部は、ガイドレール５０Ｒ，５０Ｌの縦レール溝に飲み込まれるようになっている。
【００５１】
また、図４（Ａ）（Ｂ）に示すように、第一止水材６１は、中空の角柱状部材にて構成されており、板材２Ｂの下方に形成される溝部６５に収められ、第一止水材６１の略下半分の部位が溝部６５から下方へと突出するように配置されている。溝部６５は、板材２Ｂの下面２ｂと、下面２ｂから下方に突設される突条部２ｃと、連結部材５ａの縦面５ｕにより、下側が開放される略コ字状の溝として構成されている。このように、第一止水材６１の一部（上半分）を溝部６５に収める構成とすることで、板材２Ｂに対する第一止水材６１のズレの発生が抑制され、第一止水材６１の耐用年数を長く確保できる。
【００５２】
第二止水材６２は、中実の角柱状部材にて構成されており、第一止水材６１の下面に接着剤などで接合される。なお、第一止水材６１と第二止水材６２を一体的に成形し、弾性率の異なる二つの部位を備える構成としてもよい。さらに、より数の多い（例えば、三層など）異なる素材からなる止水材（弾性部材）を用いる構成としてもよい。
【００５３】
また、床面４７に直接接触する第二止水材６２については、弾性率の小さいものを採用することにより、床面４７の微細な凹凸に対して柔軟に変形することができ、床面４７との間で高い密着性を呈し、高い止水性を発揮できる。また、第一止水材６１については、弾性率の大きいものを採用することにより、変形が少なく、上方から第二止水材６２をしっかりと支え、床面４７に対して第二止水材６２を確実に押し付けることができる。
【００５４】
また、図４（Ａ）（Ｂ）に示すように、防水板１には、床面４７に当接して防水板１の高さ方向の位置を規定する規定部５ｍ，５ｎが設けられている。この規定部５ｍ，５ｎは、板材２Ｂの下面２ｂよりも床面４７側に突出する位置に配置されるものであり、シャッターカーテンを下降させた際に板材２Ｂよりも先に床面４７に当接するものである。
【００５５】
そして、規定部５ｍ，５ｎが床面４７に当接した状態では、防水板１の荷重が規定部５ｍ，５ｎにより支えられ、防水板１が最も低い位置に設定される場合の位置決めが行われる。つまり、規定部５ｍ，５ｎが床面４７に当接した状態では、この状態よりも防水板１が低い位置へと移動することが規制される。なお、図４（Ａ）（Ｂ）に示す連結部材５ａ、５ｂは実施例として形材により構成しているが、補強材５Ａ、５Ｂと板材２Ｂとが連結可能であればよく、具体的な形状は問わない。
【００５６】
本実施例の規定部５ｍ，５ｎは、補強材５Ａ，５Ｂの垂直面５ｅ，５ｆの下端部を内側方向（防水板１（板材２Ｂ）の厚み方向における内側）に屈曲させてなる横片部５ｘ，５ｙにて構成されている。横片部５ｘ，５ｙを内側方向に向けて設けることにより、防水板１が床面４７に接地した状態で、外観上横片部５ｘ，５ｙが現れずに美観が確保され、また、防水板１が床面４７から離れている状況でも、外観上目立ち難い構成とすることができる。また、補強材５Ａ，５Ｂの一部で横片部５ｘ，５ｙを構成するため、部品点数が少なく済み、製造コストや製造手間を低減することができる。
【００５７】
なお、規定部５ｍ，５ｎの具体的な実施形態は以上の構成に限定されるものではなく、横片部５ｘ，５ｙを設けずに補強材５Ａ，５Ｂの垂直面５ｅ，５ｆの下端部をそのまま規定部とすることや、横片部５ｘ，５ｙを外側方向に屈曲させて形成させて規定部とすることや、別部材を補強材５Ａ，５Ｂ、或いは、板材２Ｂなどに取り付けて、別部材の下端部を床面４７に接地させる構成としてもよい。
【００５８】
図４（Ａ）に示すように、防水板１が床面４７から離れた状態では、止水材６０の下端部は、規定部５ｍ，５ｎよりも高さ幅Ｈａだけ低い位置まで突出されており、図４（Ｂ）に示すように、防水板１が床面４７に接地すると、この高さ幅Ｈａだけ止水材６０が圧縮される。そして、規定部５ｍ，５ｎが床面４７に当接することで、板材２Ｂ（下面２ｂ）と床面４７との間に形成される隙間Ｓの幅Ｓｈが常に一定の値に規定されることになる。
【００５９】
なお、隙間Ｓの幅Ｓｈは、図４（Ｂ）では、板材２Ｂの下面２ｂと床面４７の間の幅としているが、板材２Ｂの突条部２ｃの最下部と床面４７の間の幅で規定されてもよい。つまりは、板材２Ｂにおいて止水に寄与する部位の最下部を規定する部位と、床面４７との間が、板材２Ｂと床面４７の間に形成される隙間Ｓの幅Ｓｈとされる。
【００６０】
このようにして、通常はシャッター４０の開口面積によって止水材にかかる荷重が異なるが、防水板１が床面４７に接地された状態では、常に一定の高さ幅Ｈａだけ止水材６０を圧縮させることができる。そして、止水材６０の圧縮量をコントロール（管理）できることで、一定の押圧荷重による圧縮（単位面積当たりの床面４７への押付荷重）と、圧縮状態からの確実な復帰が可能となり、床面４７の不陸を吸収した高い止水性を発揮できる。また、過剰な荷重が掛かって止水材６０の劣化が早まることも防がれる。特に、電動シャッターに防水板１が設けられる構成では、防水板１の停止位置には若干の誤差（下降バラつき）が生じることが考えられるため、止水材６０の圧縮量をコントロール（管理）できることによる効果は大きいものとなる。
【００６１】
さらに、図４（Ａ）に示すように、本実施例では、規定部５ｍ，５ｎの下端部の上下位置５ｐが、第二止水材６２の上下幅Ｈ２の範囲内に位置されることにより、弾性率の低い第二止水材６２のみを積極的に圧縮させることが可能となり、不陸の吸収を効果的に行わせることができる。
【００６２】
次に、他の実施例の防水板１の下部の構成について説明する。
図５（Ａ）は他の実施例の防水板１の下部の構成について示す側面断面図であり、図５（Ｂ）はシャッターを閉鎖した状態の他の実施例の防水板１の下部の様子について示す側面断面図である。
【００６３】
この実施例では、止水材６０の屋内側、及び、屋外側において、止水材６０と平行（屋内外方向と直行する方向）に長尺の止水材６３、６４が配置され、屋内外方向において、合計３列の止水材が３列に並んで配置される。この止水材６３、６４は、連結部材５ａ，５ｂの水平部５ｇ，５ｈに対しスペーサー６６ｇ，６６ｈを介して固定され、素材は例えば、第二止水材６２と同一の素材が使用される。
【００６４】
この構成によれば、図５（Ｂ）に示すように、各止水材が床面４７と密着することで、屋内外方向において多段階で止水性を発揮させることができ、より高い止水性能を発揮できる。
【００６５】
さらに、図５（Ａ）に示すように、止水材６３は止水材６０との間に屋内外方向に隙間７３ａを空けて配置され、同様に、止水材６４は止水材６０との間に屋内外方向に隙間７４ａを空けて配置される。各隙間７３ａ，７４ａの上方は、連結部材５ａ，５ｂの表面によって閉じられる。
【００６６】
これにより、防水板１を床面４７に接地させた状態において、止水材６０と止水材６４の間に密閉された空気層７４が形成され、止水材６０と止水材６３の間に密閉された空気層７３が形成される。
【００６７】
そして、図５（Ｂ）に示すように、空気層７４が存在することで止水材６４よりも屋外側の水が止水材６０に直接的に接することを防ぐことができ、止水材６０の密閉を破って屋内側に浸水してしまうことを効果的に防止できる。また、同様に、水が空気層７４に浸入した場合であっても、空気層７３の存在により、止水材６０でせき止めた水が止水材６３に直接的に接することを防ぐことができ、止水材６３の密閉を破ってさらに屋内側に浸水してしまうこと効果的に防止できる。換言すれば、空気層７４，７３によって、各止水材６４，６０，６３の連続性が切断されて浸入した水の縁切りを行うことができ、各止水材６４，６０，６３を一つにまとめて幅広の止水材を形成する場合と比較して、より水密性の高い構成が実現できることになる。
【００６８】
次に、図３に示されるガイドレール５０Ｒ，５０Ｌに設けられる押付機構８Ｒ，８Ｌについて説明する。
この押付機構８Ｒ，８Ｌは、ガイドレール５０Ｒ，５０Ｌの下部に設けられており、防水板１が床面４７に接地した際に、防水板１を屋内側へと押圧し、ガイドレール５０Ｒ，５０Ｌと防水板１の間に形成される隙間を密閉させるための機構である。
【００６９】
以下、ガイドレール５０Ｒの押付機構８Ｒについて説明する。なお、ガイドレール５０Ｌの押付機構８Ｌも同様の構成であり、説明は省略する。
図６は押付機構８Ｒを備えるガイドレール５０Ｒについて示す側面図であり、図７は押付機構８Ｒを備えるガイドレール５０Ｒについて示す平面図である。
【００７０】
図６及び図７に示すように、ガイドレール５０Ｒは、断面略コ字状の溝部５１ａを有する長尺の外枠部材５１と、外枠部材５１の溝部５１ａに差し込まれるレール部材５２とを有して構成される。
【００７１】
レール部材５２には縦レール溝５２ａが形成されており、この縦レール溝５２ａには防水板１の板材２Ｂの板幅方向（図３矢印Ｘ方向）端部が飲み込まれる。なお、縦レール溝５２ａには、図示せぬスラットの端部も飲み込まれ、縦レール溝５２ａによってシャッターカーテンがガイドされる。
【００７２】
レール部材５２には、縦レール溝５２ａを挟んで屋外側に屋外側見込面部５２ｂが形成され、屋内側に屋内側見込面部５２ｃが形成されている。そして、レール部材５２の下端部付近における屋外側見込面部５２ｂには、押付部材８０が配設されている。
【００７３】
図６に示すように、押付部材８０は、屋外側から屋内側に向かって低くなる傾斜部８０ａと、傾斜部８０ａの下端部から下方に向かって伸びる垂直部８０ｂとを有して構成されている。垂直部８０ｂは屋内外方向における縦レール溝５２ａの幅の範囲内に配置され、垂直部８０ｂと屋内側見込面部５２ｃの間には、板材２Ｂを差し込む差込溝部５３が形成される。
【００７４】
以上の構成とすることで、図６に示すように、ガイドレール５０Ｒに沿って下降した板材２Ｂの下端部２ｋは、押付部材８０の傾斜部８０ａに突き当たり、そのまま傾斜部８０ａに沿って屋内側へと案内され、さらに差込溝部５３に差し込まれる。
【００７５】
板材２Ｂの下端部が差込溝部５３に差し込まれる過程で、板材２Ｂが全体として屋内側へと移動しつつ、縦レール溝５２ａの屋内側見付面部５２ｅへと押付けられる。そして、板材２Ｂの端部に貼設された帯状のパッキン材６Ｒが縦レール溝５２ａの屋内側見付面部５２ｅに密着することで、ガイドレール５０Ｒと防水板１の間に形成される隙間が密閉される。
【００７６】
ここで、押付部材８０が床面４７近くに設けられることで、板材２Ｂの下端部に対しガイドレール５０Ｒへの押付荷重を作用させることができる。これによれば、堰き止める水の水位が低く屋外側からの水圧が弱い状況においても、ガイドレール５０Ｒと防水板１の間に形成される隙間を確実に密閉することができ、高い止水性を確保することができる。
【００７７】
なお、以上の構成においては、ガイドレール５０Ｒとは別部材の押付部材８０を屋外側見込面部５２ｂの外側面に固定することで押付機構８Ｒを構成することとしたが、この構成によれば、既存のガイドレール５０Ｒへの後付での押付部材８０が容易に行うことができる。また、この構成に限るものではなく、例えば、押付部材がガイドレール５０Ｒの内部に配置され隠される構成とすることや、ガイドレール５０Ｒの形状そのもの（一部を隆起させる）により押付部材の機能を持たせることなども考えられる。
【００７８】
以上のようにして本発明を実施することができる。
即ち、図４（Ａ）（Ｂ）に示すように、板材２Ｂと、板材２Ｂの下部に設けられ、前記板材２Ｂと前記床面４７の間の隙間を圧縮止水する止水材と、床面４７側に突出し、板材２Ｂと床面４７との間の距離（隙間Ｓの幅Ｓｈ）を規定するための規定部５ｍ，５ｎと、を有する防水板１であって、止水材６０は規定された距離（隙間Ｓの幅Ｓｈ）に応じて圧縮される、防水材とするものである。
【００７９】
これにより、防水板１が床面４７に設置された状態では、規定部５ｍ，５ｎの存在により常に一定の高さ幅Ｈａだけ止水材６０を圧縮させることができる。そして、止水材６０の圧縮量がコントロール（管理）できることで、一定の押圧荷重による圧縮と、圧縮状態からの確実な復帰が可能となり、床面４７の不陸を適切に吸収して高い止水性を発揮できる。また、止水材６０に過剰な荷重が掛かって止水材６０の劣化が早まることも防ぐことができる。
【００８０】
また、図１（Ａ）（Ｂ）に示すように、防水板１は、昇降式のシャッターカーテン４４の最下部に配置されるものである。
【００８１】
このように、昇降式のシャッターカーテン４４の最下部に配置されて止水の機能を発揮させることができる。また、シャッターカーテン４４の重量を防水板１にて支えることになるが、規定部５ｍ，５ｎが床面４７に接地するため、止水材６０にシャッターカーテン４４の全重量が作用せず、止水材６０に過剰な荷重が掛かることがない。
【００８２】
特に、防水板１がシャッターカーテン４４に備えられる場合には、シャッターカーテン４４はほぼ毎日開閉され、その都度止水材６０の圧縮、開放がなされ止水材６０の劣化（ヘタリ）の進行が早くなることが懸念される。この点、本発明では、止水材６０の圧縮量をコントロール（管理）でき、シャッターカーテン４４が閉じた際の止水材６０に作用する荷重は常に一定になるため、止水材６０の劣化を効果的に防止できる。また、特に電動シャッターの場合では、全閉時におけるシャッターカーテン４４の巻き出し量に誤差が生じるため、巻き出し量が多い場合には、防水板１が床面４７に対して強く押付けられることになるが、このような状況においても、止水材６０に作用する荷重は通常の大きさと変わらないため、止水材６０に悪影響が及ばない。
【００８３】
また、図５（Ａ）（Ｂ）に示すように、止水材６０，６３，６４は、板材２Ｂの板幅方向（図３紙面左右方向（矢印Ｘ方向））において連続して配置されるものであり、板材２Ｂの板厚方向（屋内外方向（図５（Ａ）紙面左右方向（矢印Ｄ方向）））においては、板材２Ｂの板幅方向に連続して配置される止水材６０，６３，６４が、複数並べて配置される、こととする。
【００８４】
これにより、各止水材６０，６３，６４が床面４７と密着することで、屋内外方向において多段階で止水性を発揮させることができ、より高い止水性能を発揮できる。
【産業上の利用可能性】
【００８５】
本発明は、建物の出入口や、地下施設への地上出入口などに設置され、豪雨時に雨水などが出入口内に浸入するのを堰き止めるための防水板について、幅広く適用できる。
【符号の説明】
【００８６】
１    防水板
２Ｂ    板材
５ｍ    規定部
５ｎ    規定部
４７    床面
６０    止水材
Ｓ    隙間
Ｓｈ    幅
Ｈａ    高さ幅
【図１】
0006485898.tif 000002
【図２】
0006485898.tif 000003
【図３】
0006485898.tif 000004
【図４】
0006485898.tif 000005
【図５】
0006485898.tif 000006
【図６】
0006485898.tif 000007
【図７】
0006485898.tif 000008